(57)【要約】【課題】被乾燥物全体の乾燥を効率良く行うことを可能とする浴室空調装置を提供する。【解決手段】浴室空調装置１では、浴室２４内の洗濯物４１の乾燥を行う乾燥運転モード時に、制御部３０によりルーバ１７の羽根２１の角度が連続的または断続的に変化するように制御され、浴室２４内へ送風される空気の送風方向が連続的または断続的に変化する。また洗濯物４１の方向への送風時は、洗濯物４１の方向以外への送風時と比較して、送風方向の変化の速度が遅くなるように制御部３０によりルーバ１７の羽根２２の角度が制御される。これにより、ヒータ５により加熱された空気が洗濯物４１の広い範囲に当てられる。また、浴室２４内の空気の循環が促進され、洗濯物４１の温風が直接当たらない箇所の乾燥を促進することができる。更に、洗濯物４１の方向に対して長い時間送風が行われる。これにより、洗濯物４１を効率良く乾燥させることができる。【選択図】        図１
2007271191.tif 000002
【特許請求の範囲】
【請求項１】
室内の空気を屋外へ排気する換気手段と、
室内へ空気を送風する送風手段と、
前記送風手段により室内へ送風する空気を加熱する加熱手段と、
前記送風手段により室内へ送風する空気の送風方向を切り換える送風方向切換手段と、
複数の運転モードを切り換えて実行する制御手段を備え、
前記制御手段は、運転モードに応じて前記送風方向切換手段を制御して、送風方向を連続的または断続的に変化させ、且つ、送風方向の変化の速度を可変とした
ことを特徴とする空調装置。
【請求項２】
前記制御手段により前記送風方向切換手段を制御して切り換えられる、前記送風手段による空気の送風方向及び変化の速度を設定する送風方向設定情報が入力される入力手段と、
前記入力手段により入力された前記送風方向設定情報を記憶する設定情報記憶手段とを備え、
前記制御手段は、入力された前記送風方向設定情報に基づいて前記送風方向切換手段を制御し、前記送風手段による送風方向を切り換える
ことを特徴とする請求項１記載の空調装置。
【請求項３】
前記入力手段は、前記運転モードの切換を行う操作部である
ことを特徴とする請求項２記載の空調装置。
【請求項４】
所定の送風方向を示す複数の送風方向選択情報を記憶した選択情報記憶手段を備え、
所定の前記送風方向選択情報を、前記入力手段により前記送風方向設定情報として入力可能とした
ことを特徴とする請求項３記載の空調装置。
【請求項５】
前記入力手段により、前記送風手段による空気の任意の送風方向を、前記送風方向設定情報として入力可能とした
ことを特徴とする請求項３記載の空調装置。
【発明の詳細な説明】
【技術分野】
【０００１】
本発明は、浴室等の室内の被乾燥物の乾燥、暖房等を行う空調装置に関する。詳しくは、送風方向が連続的または断続的に変化し、且つ、特定方向への送風時は他の方向への送風時よりも変化の速度が遅くなるように、室内へ送風する空気の送風方向を制御することにより、室内の広い範囲に送風を行い、且つ、特定方向に集中して送風を行うことを可能とするものである。
【背景技術】
【０００２】
従来から、浴室内に設置された衣類などの被乾燥物の乾燥を行う機能を有する浴室空調装置が提供されている。浴室空調装置による浴室内の被乾燥物の乾燥は、次のように行われる。
【０００３】
浴室空調装置は、浴室内の空気を吸込み、吸込んだ空気の一部を屋外へ排気する。また浴室空調装置は、吸込んだ浴室内の空気の残部を加熱して、浴室内に送風する。このように、浴室内に吹出した温風により被乾燥物を乾燥させる。またこの時、浴室内の空気の一部は屋外に排気されて浴室内の換気が行われるので、湿気等が排出されることで、被乾燥物の乾燥が促進される。
【０００４】
また上記とは別に、乾燥運転モード時と暖房運転モード時における送風方向の切り換えを行う浴室暖房乾燥機が提案されている（例えば特許文献１参照）。
【０００５】
特許文献１に開示される浴室暖房乾燥機は、乾燥運転モード時においては、被乾燥物の乾燥予定場所に向けた乾燥用吹出し方向に温風が吹出し、暖房運転モード時においては、浴室内の洗い場に向けた暖房用吹出し方向に温風が吹出す構成である。また特許文献１に開示される浴室暖房乾燥機では、リモコンからの指示により、乾燥用吹出し方向または暖房用吹出し方向への送風方向の切り換えが行われる。
【０００６】
このような構成により、特許文献１に開示される浴室暖房乾燥機は、容易に送風方向の切り換えを行うことを可能とし、また、被乾燥物の乾燥を効率良く行うものである。
【０００７】
【特許文献１】特許３１５７４９４号公報
【発明の開示】
【発明が解決しようとする課題】
【０００８】
しかし、上述した従来の浴室空調装置による浴室内の被乾燥物の乾燥においては、次のような問題がある。
【０００９】
従来の浴室空調装置において被乾燥物の乾燥を行う際は、温風の送風方向が一定であるため、常に被乾燥物の同一箇所に温風が当たった状態となる。また、浴室内の空気の循環が広く行われない状態となる。このため、被乾燥物の温風が当たる場所と温風が当たらない場所の間の乾燥に差が生じ、被乾燥物全体の乾燥を効率良く行うことができない問題がある。
【００１０】
また、特許文献１に開示されている浴室暖房乾燥機も、乾燥運転モード時は、一定の乾燥用吹出し方向に温風が送風される構成である。このため、被乾燥物全体の乾燥を効率良く行うことができない問題がある。
【００１１】
本発明は、このような問題を解決するためになされたもので、被乾燥物全体の乾燥を効率良く行うことを可能とする空調装置を提供することを目的とする。
【課題を解決するための手段】
【００１２】
上述した課題を解決するため、本発明に係る空調装置は、室内の空気を屋外へ排気する換気手段と、室内へ空気を送風する送風手段と、送風手段により室内へ送風する空気を加熱する加熱手段と、送風手段により室内へ送風する空気の送風方向を切り換える送風方向切換手段と、複数の運転モードを切り換えて実行する制御手段を備え、制御手段は、運転モードに応じて送風方向切換手段を制御して、送風方向を連続的または断続的に変化させ、且つ、送風方向の変化の速度を可変としたことを特徴とするものである。
【００１３】
本発明に係る空調装置では、次のように室内の空気の排気及び送風が行われる。
【００１４】
換気手段により、室内の空気が取り込まれる。換気手段により取り込まれた室内の空気は、屋外に排気される。また、加熱手段により加熱された空気が、送風手段により室内へ送風される。
【００１５】
この時、室内へ送風される空気の送風方向が連続的または断続的に変化するように、送風方向切換手段は制御手段により制御される。更に、例えば特定方向への送風時は他の方向への送風時と比較して送風方向の変化の速度が遅くなるように、送風方向切換手段が制御手段により制御される。
【００１６】
これにより、加熱手段により加熱された空気が、室内の広い範囲に送風され、且つ、特定方向に対して他の方向と比較して長い時間送風される。
【発明の効果】
【００１７】
本発明の空調装置によれば、加熱手段により加熱された空気を、室内の広い範囲に送風し、且つ、特定方向に対して他の方向と比較して長い時間送風することができる。
【発明を実施するための最良の形態】
【００１８】
以下、図面を参照して本発明の空調装置の実施の形態である浴室空調装置について説明する。
【００１９】
＜本実施の形態の浴室空調装置の構成例＞
図１及び図２は、本実施の形態の浴室空調装置１の一例を示す説明図である。図１（ａ）は浴室空調装置１の構成を示す断面図であり、図１（ｂ）は図１（ａ）のａ−ａ断面図であり、図２は浴室空調装置１の分解斜視図である。
【００２０】
本実施の形態の浴室空調装置１は、例えば次に示すような構成となる。図１及び図２に示すように、本実施の形態の浴室空調装置１は、本体ケース２、ファンユニット３，風路切換部４，ヒータ５、ルーバ１７及びフロントパネル６を備えて構成される。ファンユニット３は、回転駆動される多翼のファン７と、ファン７を回転駆動するファンモータ８を備える。また、ファンモータ８が取り付けられると共に、風路を形成するファンケース９を、ファンユニット３は備える。
【００２１】
ファンユニット３においてはファン７が鉛直向きに配置される。ファンケース９は、ファン７の軸方向に沿った下面が開口して吸込口１０が形成され、ファン７の軸方向に沿った一の側面が開口して、風路切換部４を備える。
【００２２】
風路切換部４は、風路を切り換えるダンパ１１を備える。ダンパ１１は後述するダンパモータの駆動力がカム１１ａを介して伝達され、軸１１ｂを支点に回転して開閉動作を行う。ファンケース９は風路切換部４と連通して下面に吹出口１２を備えると共に、風路切換部４と連通して一の側面に排気口１３を備える。ダンパ１１の位置により、吸込口１０から吹出口１２へ連通する風路、吸込口１０から排気口１３へ連通する風路が形成される。
【００２３】
図１はダンパ１１を全閉にした状態を示す。ダンパ１１を全閉にすると、排気口１３への風路が遮断され、吸込口１０から吹出口１２へ連通した循環風路１４が形成される。図１に示すようにダンパ１１が全閉となる位置をダンパ１１の循環位置と称す。
【００２４】
図３はダンパ１１を全開にした状態を示す。ダンパ１１を全開にすると、吹出口１２への風路が遮断され、吸込口１０から排気口１３へ連通した換気風路１５が形成される。ダンパ１１が全開となる位置をダンパ１１の換気位置と称す。
【００２５】
図４はダンパ１１を循環位置と換気位置の中間位置にした状態を示す。ダンパ１１を循環位置と換気位置の中間位置にすると、吸込口１０から吹出口１２へ連通した循環風路１４と、吸込口１０から排気口１３へ連通した換気風路１５の双方が形成される。この中間位置をダンパ１１の循環換気位置と称す。
【００２６】
ファンユニット３及び風路切換部４は、換気手段及び送風手段の一例である。
【００２７】
図１に示すように、ヒータ５は上述した吹出口１２に備えられる。ヒータ５としては、例えばＰＴＣ（Positive Temperature Coefficient）ヒータが利用可能である。ヒータ５は加熱手段の一例である。
【００２８】
図２に示すように、本体ケース２は下面が開口しており、ファンユニット３の吸込口１０と吹出口１２が露出した状態となる。また本体ケース２の下面開口部には、フロントパネル６が着脱自在に取り付けられる。フロントパネル６は、ファンユニット３の吸込口１０と対向して吸込口６ｂを備えると共に、ファンユニット３の吹出口１２と対向して吹出口６ａを備える。またフロントパネル６は、吸込口６ｂの裏側にフィルタ１６が交換可能に取り付けられる。
【００２９】
また図１に示すように、ルーバ１７は、吹出口１２にて上述したヒータ５の下部に備えられる。図５はルーバ１７の構成及び動作例を示す説明図であり、図１のａ−ａ断面を示している。また図５は、ルーバ１７全体が二つの箇所に分かれて構成された例を示している。
【００３０】
ルーバ１７は、例えば次に示すような構成となる。図１（ｂ）及び図５に示すように、ルーバモータ１８、アームＡ１９、アームＢ２０、複数の羽根２１及び羽根軸２２を備えた組を、二組備えてルーバ１７は構成される。
【００３１】
それぞれの組のルーバモータ１８（ルーバモータＡ１８ａ・ルーバモータＢ１８ｂ）は、吹出口１２の縁部近傍にて本体ケース２に固定されている。また各羽根軸２２は、吹出口１２の各ルーバモータ１８の内側に位置するように、本体ケース２に所定の間隔で固定されている。
【００３２】
各羽根２１は各羽根軸２２に回転自在に取り付けられている。また各羽根２１は上端部にて、アームＡ１９に所定の間隔で回転自在に取り付けられている。アームＡ１９は、吹出口１２の縁部側に位置する端部にてアームＢ２０に回転自在に取り付けられている。アームＢ２０は、本体ケース２に固定されたルーバモータ１８に取り付けられている。
【００３３】
このような構成により、図５に示すように、ルーバモータ１８の駆動により、アームＢ２０及びアームＡ１９が回転し、アームＡ１９に取り付けられた各羽根２１が回転する。またアームＡ１９に取り付けられた各羽根２１は、全て同じ角度に回転し、この回転角度はルーバモータ１８の駆動により制御が可能となる。
【００３４】
このようにルーバ１７の各羽根２１の回転角度を制御することにより、図５に示すように、循環風路１４を経由して吹出口１２から吹出される吹出風４２の送風方向を制御することが可能となる。ルーバ１７は送風方向切換手段の一例である
図５は、ルーバ１７全体が二つの部分に分かれて構成され、それぞれの部分の各羽根２１が別々のルーバモータ１８により制御される構成を示している。しかし、ルーバ１７全体が一体で構成され、全ての羽根２１の角度が一つのルーバモータ１８により制御される構成としても良い。
【００３５】
図１に示すように、ダンパ１１を循環位置にし、ファン７、ヒータ５及びルーバ１７を動作させることにより、次のように、浴室空調装置１の内部及び外部に空気の流れを生じさせる。ファンモータ８によりファン７を駆動すると、ファン７は、吸込口１０から浴室空調装置１外部の空気を吸込む。ファン７は吸込んだ空気を、循環風路１４を通じて吹出口１２から浴室空調装置１の外部に吹出す。
【００３６】
またヒータ５は、ファン７により浴室空調装置１の外部に吹出される空気を、循環風路１４の途中で温める。更にルーバ１７は、吹出口１２から浴室空調装置１の外部に吹出される空気の送風方向を制御する。
【００３７】
図３に示すように、ダンパ１１を換気位置にし、ファン７を動作させることにより、次のように、浴室空調装置１の内部及び外部に空気の流れを生じさせる。ファンモータ８によりファン７を駆動すると、ファン７は、吸込口１０から浴室空調装置１外部の空気を吸込む。ファン７は吸込んだ空気を、換気風路１５を通じて排気口１３から浴室空調装置１の外部に吹出す。
【００３８】
図４に示すように、ダンパ１１を循環換気位置にし、ファン７、ヒータ５及びルーバ１７を動作させることにより、次のように、浴室空調装置１の内部及び外部に空気の流れを生じさせる。ファンモータ８によりファン７を駆動すると、ファン７は、吸込口１０から浴室空調装置１外部の空気を吸込む。ファン７は吸込んだ空気の一部を、換気風路１５を通じて排気口１３から浴室空調装置１の外部に吹出す。
【００３９】
更に、ファン７は吸込んだ空気の残部を、循環風路１４を通じて吹出口１２から浴室空調装置１の外部に吹出す。
【００４０】
またヒータ５は、ファン７により浴室空調装置１の外部に吹出される空気を、循環風路１４の途中で温める。更にルーバ１７は、吹出口１２から浴室空調装置１の外部に吹出される空気の送風方向を制御する。
【００４１】
次に、図６を用いて本実施の形態の浴室空調装置１の設置例について説明する。図６は、洗面所２３に隣接した浴室２４に浴室空調装置１が設置された状態を示している。
【００４２】
浴室空調装置１は浴室２４の天井に設置される。図６は、図１等で説明した浴室空調装置１の長手方向が浴槽２４ａやランドリパイプ２８の長手方向と平行に設置されている例を側面から見た図である。浴室２４の天井パネルには、図１等で説明した浴室空調装置１の本体ケース２が入る開口部が形成され、浴室空調装置１は、フロントパネル６が露出するようにして、天井裏から吊り下げる形態、あるいは天井パネルに固定する形態等で取り付けられる。
【００４３】
浴室空調装置１の吹出口６ａから浴室２４内に空気が送風され、吸込口６ｂから浴室２４内の空気が浴室空調装置１に吸込まれる。また、浴室２４の天井に取り付けられた浴室空調装置１では、排気口１３に排気ダクト接続部を介して図示しない排気ダクトが接続される。排気ダクトは、建物の外壁に取り付けた排気グリルに接続される。これにより、浴室空調装置１で吸込んだ浴室２４内の空気を、排気ダクトを介して外に排気できる構成となっている。
【００４４】
浴室空調装置１は、洗濯物等を乾燥させる機能を備えるので、浴室２４には洗濯物等を掛けるランドリパイプ２８を備える。図６においては、ランドリパイプ２８を一つ備える例を示したが、所定の間隔で配置されたランドリパイプ２８を複数備えるとしても良い。
【００４５】
浴室２４の入口には浴室ドア２９を備える。浴室ドア２９は空気取入口（ガラリ）２９ａを備え、洗面所２３等の空気を浴室２４内に取り込めるようになっている。
【００４６】
なお、図１等で説明した浴室空調装置１は、浴室２４内の空気を吸込み浴室２４内に送風する構成としたが、外気や洗面所２３等の他室の空気を吸込み浴室２４内に送風する構成としても良い。
【００４７】
＜本実施の形態の浴室空調装置の制御構成例＞
図７は浴室空調装置１の制御機能の一例を示すブロック図である。浴室空調装置１は、ＣＰＵ（Central Processing Unit）等で構成される制御部３０に、図１等で説明したファン７を駆動するファンモータ８と、ダンパ１１を駆動するダンパモータ３２と、ルーバ１７の羽根２１を駆動するルーバモータＡ１８ａ・ルーバモータＢ１８ｂと、ヒータ５と、操作部３１、メモリ４４等が接続される。制御部３０は制御手段の一例である。メモリ４４は送風方向記憶手段及び選択情報記憶手段の一例であり、各設定情報、プログラム等が記憶される。また、メモリ４４は、電源の切断後も記憶保持を可能とするために、不揮発性のメモリが使用される。
【００４８】
制御部３０は、メモリ４４に格納されたプログラムよって例えば予備暖房運転モード、入浴暖房運転モード、換気運転モード、涼風運転モード及び乾燥運転モードを実行する。
【００４９】
これらの運転モードは、入浴者等の利用者が操作部３１を操作すること等により選択され、制御部３０は、選択された運転モードを実行するプログラムに従いファンモータ８、ダンパモータ３２、ルーバモータＡ１８ａ、ルーバモータＢ１８ｂ及びヒータ５等を制御する。
【００５０】
操作部３１は、例えば浴室空調装置１本体と独立したリモートコントロール装置で、図６に示すように、洗面所２３の壁面等に取り付けられる。
【００５１】
図８は第１の操作部３１ａの例を示す構成図である。操作部３１ａは表示部３３ａと、各種操作ボタン等を備える。操作ボタンとしては、予備暖房運転モードを選択する予備暖房モードボタン３４と、入浴暖房運転モードを選択する入浴暖房モードボタン３５と、涼風運転モードを選択する涼風モードボタン３６と、換気運転モードを選択する換気モードボタン３７と、乾燥運転モードを選択する乾燥モードボタン３８を備える。
【００５２】
また、選択した運転モードを利用者が確認できるように、例えば各ボタンに対応してランプ３９を備え、選択された運転モードのボタンに対応するランプ３９が点灯するようにしても良い。更に、タイマボタン４０を備えて、設定した時間に所望の運転モードが実行できるようにしても良い。
【００５３】
また操作部３１ａは、ルーバ１７のスイング（首振り）動作の角度を設定するためのルーバ設定ボタン２５を備える。ルーバ１７のスイング（首振り）動作の角度の設定については後述する。
【００５４】
また、図８に示した操作部３１ａの例においては、予備暖房モードボタン３４と入浴暖房モードボタン３５を備え、それぞれのボタンを操作することにより予備暖房運転モード又は入浴暖房運転モードを選択する構成とした。しかし、操作部３１ａが一つの暖房モードボタンを備え、この暖房モードボタンの操作により次のように予備暖房運転モード及び入浴暖房運転モードが実行されるとしても良い。
【００５５】
まず暖房モードボタンが押されると、予備暖房運転モードが所定の時間実行される。この予備暖房運転モードが実行される時間は、例えばタイマーにより設定が可能である。予備暖房運転モードが所定の時間実行された後、入浴暖房運転モードが実行される。
【００５６】
また、予備暖房運転モード又は入浴暖房運転モードのどちらが実行中であるかは、操作部３１ａに備えられたランプ３９により確認可能とすることができる構成としても良い。
【００５７】
図９は第２の操作部３１ｂの例を示す構成図である。操作部３１ｂは操作部３１ａと同様に、表示部３３ｂと、各種操作ボタン等を備える。表示部３３ｂは、例えば４つの７セグメントＬＥＤを備えて構成され、時刻及び各種設定情報等を表示する。操作ボタンとしては、予備暖房モードボタン３４、入浴暖房モードボタン３５、涼風モードボタン３６、換気モードボタン３７及び乾燥モードボタン３８を備える。
【００５８】
また、選択した運転モードを確認するためのランプ３９を備え、運転モードに対応するランプ３９が点灯するようにしても良い。更に、タイマボタン４０を備えて、設定した時間に所望の運転モードが実行できるようにしても良い。
【００５９】
更に、操作部３１ｂは、ルーバ１７のスイング（首振り）動作の角度設定に用いられる、変更ボタン４３、ルーバボタン２６及びルーバ確定ボタン２７を備える。これらの各ボタンを用いた、ルーバ１７のスイング（首振り）角度の設定については後述する。
【００６０】
図９に示した操作部３１ｂの例においては、予備暖房モードボタン３４と入浴暖房モードボタン３５を備え、それぞれのボタンを操作することにより予備暖房運転モード又は入浴暖房運転モードを選択する構成とした。しかし、上述した操作部３１ａと同様に、操作部３１ｂが一つの暖房モードボタンを備え、次のように各暖房運転モードが実行されるとしても良い。
【００６１】
暖房モードボタンが押されると、予備暖房運転モードが所定の時間実行される。予備暖房運転モードが所定の時間実行された後、入浴暖房運転モードが実行される。予備暖房運転モード又は入浴暖房運転モードのどちらが実行中であるかは、操作部３１ｂに備えられたランプ３９により確認可能とすることができる構成としても良い。
【００６２】
＜乾燥運転モードの動作例＞
次に、浴室空調装置１における乾燥運転モードの動作例について説明する。図１０から図１２は乾燥運転モード時の送風方向を示す説明図であり、図６で説明した浴室２４に浴室空調装置１が設置された状態を示している。図１０から図１２に示す浴室２４においては、ランドリパイプ２８は１つ備えられ、被乾燥物である洗濯物４１が掛けられた状態を示している。
【００６３】
浴室空調装置１は、ファンユニット３により、「強」・「弱」の２段階の風量が得られるように、ファンモータ８の回転速度が２速に切換可能な構成となっている。通常は「強」の一定の風量が得られるようにファンモータ８は制御部３０により制御される。後述する他の入浴暖房運転モードにおいて、「強」より少ない「弱」の風量が得られるようにファンモータ８は制御部３０により制御される。
【００６４】
図７で説明した制御部３０は、操作部３１の乾燥モードボタン３８が押されると、乾燥運転モードを実行する。乾燥運転モードでは、図４に示すように、ダンパ１１の位置が浴室２４内の空気を循環させながら同時に換気を行う循環換気位置となるように、制御部３０はダンパモータ３２を制御する。更に乾燥運転モードでは、制御部３０はヒータ５をオンにする。また乾燥運転モードにおいては、例えば上述した「強」の風量が得られるように制御部３０によりファンモータ８が制御される。
【００６５】
ファンモータ８によりファン７が回転駆動されると、フロントパネル６の吸込口６ｂを介してファンユニット３の吸込口１０から浴室２４の空気が吸込まれる。ダンパ１１の位置が循環換気位置であると、ファンユニット３において吸込口１０から吹出口１２への循環風路１４と、吸込口１０から排気口１３への換気風路１５の双方が形成される。このため、吸込口１０から吸込まれた空気の一部は、換気風路１５及び排気口１３を通り、更に、図示しない排気ダクトを通って排気グリルから屋外へ排気される。
【００６６】
また、浴室２４内の空気を屋外に排気することで、浴室ドア２９に設けた空気取入口２９ａから、洗面所２３等の空気が吸込まれる。
【００６７】
また、吸込口１０から吸込まれた空気の一部は、循環風路１４を通り吹出口１２からフロントパネル６の吹出口６ａを介して浴室２４内に吹出される。そして、ヒータ５がオンされてヒータ５が加熱されることで、循環風路１４を通る空気が温められて吹出口１２から温風が吹出す。
【００６８】
更に、図５（ａ）から図５（ｃ）に示すように、制御部３０によりルーバ１７の羽根２１の角度が連続的または断続的に変化するように制御され、図１０の矢印Ａで示す範囲で浴室２４内へ送風される空気の送風方向が、スイング（首振り）状に連続的または断続的に変化する。図１１は吹出口１２より洗濯物４１の方向へ空気が送風される状態を示したものであり、図１２は吹出口１２より洗濯物４１以外の方向へ空気が送風される状態を示したものである。
【００６９】
図１１の矢印Ｂで示す洗濯物４１の方向への送風時は、図１２の矢印Ｃで示す洗濯物４１の方向以外への送風時と比較して、送風方向の変化の速度が遅くなるように、即ち、ルーバ１７の羽根２１の角度の変化速度が遅くなるように制御部３０によりルーバ１７が制御される。
【００７０】
浴室２４内へ送風される空気の送風方向が、連続的に、スイング（首振り）状に変化する際は、図１１の矢印Ｂで示す洗濯物４１の方向への送風時は、図１２の矢印Ｃで示す洗濯物４１の方向以外への送風時と比較して、ルーバ１７の羽根２１の角度の変化速度が遅くなるように制御部３０によりルーバ１７が制御される。
【００７１】
また、浴室２４内へ送風される空気の送風方向が、段階的に、スイング（首振り）状に変化する際は、図１１の矢印Ｂで示す洗濯物４１の方向への送風時は、図１２の矢印Ｃで示す洗濯物４１の方向以外への送風時と比較して、段階毎のルーバ１７の羽根２１の停止時間が長くなるように制御部３０によりルーバ１７が制御される。
【００７２】
以上のようにルーバ１７が制御部３０により制御されることにより、図１１の矢印Ｂで示す洗濯物４１の方向への送風時は、図１２の矢印Ｃで示す洗濯物４１の方向以外への送風時と比較して、送風方向の変化の速度が遅くなる。
【００７３】
ここで、図８に示す第１の操作部３１ａにおいては、図１０、図１１の矢印Ａ、Ｂ及びＣで示す、ルーバ１７がスイング（首振り）状に動作する際の角度は、例えば次のように設定される。使用者又は施工業者が、操作部３１のルーバ設定ボタン２５により、浴室２４内のランドリパイプ２８の位置を、基準位置として浴室空調装置１に設定する。設定された基準位置に対する角度に基づき、予め設定された所定角度分についてルーバ１７がスイング（首振り）状に動作する。
【００７４】
また、図１０から図１１の矢印Ａ、Ｂ及びＣで示す、ルーバ１７がスイング（首振り）状に動作する際の角度を、操作部３１のルーバ設定ボタン２５により、浴室空調装置１に直接設定し、設定された各角度に基づきルーバ１７がスイング（首振り）状に動作するとしても良い。
【００７５】
次に、図９に示す第２の操作部３１ｂにおいて、図１０から図１２の矢印Ａ、Ｂ及びＣで示す、ルーバ１７がスイング（首振り）状に動作する際の角度の第１の設定例について説明する。図１３は、乾燥運転モード時のルーバ１７の全動作範囲の設定例を示す説明図である。図１４は、乾燥運転モード時のルーバ１７の低速動作範囲の設定例を示す説明図である。図１５は、乾燥運転モード時のルーバ動作角度の設定の第１のフローチャート例である。
【００７６】
図９に示す第２の操作部３１ｂを備える浴室空調装置１の第１の設定例においては、次のようにルーバ１７のスイング（首振り）動作の角度が設定される。まず、ユーザは、操作部３１ｂの乾燥モードボタン３８を押下する（図１５のステップＡ１）。その後、ルーバボタン２６を押下する（ステップＡ２）。これにより操作部３１ｂは、制御部３０によりルーバ動作角度の設定モードとなる。
【００７７】
その後、ユーザは、変更ボタン４３を操作してルーバ１７の全動作範囲（図１０の矢印Ａで示す範囲）を選択する（ステップＡ３）。この時選択されるルーバ１７の全動作範囲は、例えば図１３に示す通りである。ここで、ルーバ１７の動作角度については、図１０の矢印ｂで示す方向に送風される角度を０°、矢印ｃで示す方向に送風される角度を１８０°とする。なお、ルーバ１７の角度を図１（ｂ）に示すように真下に向く位置を０°として、洗い場２４ｂ方向をプラス角度とし、浴槽２４ａ方向をマイナス角度として表してもよい。
【００７８】
ユーザが、変更ボタン４３を操作することにより、操作部３１ｂの表示部３３ｂに、図１３に示す各動作範囲に対応した表示がされる。例えば、ユーザが変更ボタン４３の上ボタンを操作することにより、操作部３１ｂの表示部３３ｂの表示が、ＡＳ：０１、ＡＳ：０２、ＡＳ：０３・・・のように順番に変化する。また、ユーザが変更ボタンの下ボタンを操作することにより、操作部３１ｂの表示部の表示が、ＡＳ：１５、ＡＳ：１４、ＡＳ：１３・・・のように順番に変化する。
【００７９】
図１３に示す各動作範囲及びこれに対応した表示は、メモリ４４に予め記憶されており、ユーザが変更ボタン４３を操作することにより、制御部３０によりメモリ４４から読み出され、表示部３３ｂに表示される。
【００８０】
ユーザは、所望のルーバ１７の全動作範囲を表示部３３ｂに表示させた後、ルーバ確定ボタン２７を押下する。これにより、制御部３０によりルーバ１７の全動作範囲が確定される（ステップＡ４）。確定されたルーバ１７の全動作範囲は、制御部３０によりメモリ４４に記憶される。
【００８１】
その後、ユーザは、再度変更ボタン４３を操作して、ルーバ１７の低速動作範囲（図１０の矢印Ｂで示す範囲）を選択する（ステップＡ５）。この時選択されるルーバ１７の低速動作範囲は、例えば図１４に示す通りである。
【００８２】
ユーザが、変更ボタン４３を操作することにより、操作部３１ｂの表示部３３ｂに、図１４に示す各動作範囲に対応した表示がされる。例えば、ユーザが変更ボタン４３の上ボタンを操作することにより、操作部３１ｂの表示部３３ｂの表示が、ＬＳ：０１、ＬＳ：０２、ＬＳ：０３・・・のように順番に変化する。また、ユーザが変更ボタンの下ボタンを操作することにより、操作部３１ｂの表示部の表示が、ＬＳ：０８、ＬＳ：０７、ＬＳ：０６・・・のように順番に変化する。ここで、ステップＡ３で設定したルーバ１７の全動作範囲を超える範囲は、制御部３０により、低速動作範囲として選択できないとする。
【００８３】
図１４に示す各動作範囲及びこれに対応した表示は、メモリ４４に予め記憶されており、ユーザが変更ボタン４３を操作することにより、制御部３０によりメモリ４４から読み出され、表示部３３ｂに表示される。
【００８４】
ユーザは、所望のルーバ１７の低速動作範囲を表示部３３ｂに表示させた後、ルーバ確定ボタン２７を押下する。これにより、制御部３０によりルーバ１７の低速動作範囲が確定される（ステップＡ６）。確定されたルーバ１７の低速動作範囲は、制御部３０によりメモリ４４に記憶される。その後、ユーザはルーバボタン２６を押下する（ステップＡ７）。これにより操作部３１ｂは、制御部３０によりルーバ動作角度の設定モードが終了する。
【００８５】
このようなステップにより、第１の設定例においては、ルーバ１７のスイング（首振り）動作の角度が設定される。
【００８６】
図１５に示す、ルーバ１７がスイング（首振り）状に動作する際の角度の第１の設定例においては、ステップＡ３及びステップＡ４において、ルーバ１７の全動作範囲を選択し確定するとした。しかし、ルーバ１７の全動作範囲を例えば０°〜１８０°とし、図１５のステップＡ３及びステップＡ４に示すルーバ１７の全動作範囲の選択を行わないとしてもよい。これにより、ルーバ１７の動作角度の設定において、ユーザはルーバ１７の低速動作範囲のみ設定すればよく、ルーバ１７の動作角度の設定を容易に行うことが可能となる。
【００８７】
次に、図９に示す第２の操作部３１ｂにおいて、図１０から図１２の矢印Ａ、Ｂ及びＣで示す、ルーバ１７のスイング（首振り）動作の角度の第２の設定例について説明する。図１６は、乾燥運転モード時のルーバ動作設定の第２のフローチャート例である。図９に示す第２の操作部３１ｂを備える浴室空調装置１の第２の設定例においては、次のようにルーバ１７のスイング（首振り）動作の角度が設定される。まず、まず、ユーザは、操作部３１ｂの乾燥モードボタン３８を押下する（図１６のステップＢ１）。その後、ルーバボタン２６を押下する（ステップＢ２）。これにより操作部３１ｂは、制御部３０によりルーバ動作角度の設定モードとなる。
【００８８】
その後、ユーザは、変更ボタン４３を操作してルーバ１７の全動作範囲（図１０の矢印Ａで示す範囲）の開始角度を入力する（ステップＢ３）。ここで、ルーバ１７の全動作範囲の開始角度は、図１０のｄで示す方向に送風される角度である。
【００８９】
ユーザが、変更ボタン４３を操作することにより、操作部３１ｂの表示部３３ｂに、ルーバ１７の設定角度を示す表示がされる。例えば、ユーザが変更ボタン４３の上ボタンを操作することにより、操作部３１ｂの表示部３３ｂの表示が、００：００（０°）、００：０１（１°）、・・・０１：０５（１０５°）・・・のように順番に変化する。また、ユーザが変更ボタンの下ボタンを操作することにより、操作部３１ｂの表示部の表示が、０１：８０（１８０°）、０１：７９（１７９°）、・・・０１：５０（１５０°）・・・のように順番に変化する。
【００９０】
所望のルーバ１７の全動作範囲の開始角度を表示部３３ｂに表示させた後、ユーザはルーバ確定ボタン２７を押下する。これにより、制御部３０によりルーバ１７の全動作範囲の開始角度が確定される（ステップＢ４）。確定されたルーバ１７の全動作範囲の開始角度は、制御部３０によりメモリ４４に記憶される。
【００９１】
ルーバ１７の全動作範囲の開始角度を確定した後、ユーザは、変更ボタン４３によりルーバ１７の全動作範囲の終了角度を入力する（ステップＢ５）。ここで、ルーバ１７の全動作範囲の終了角度は、図１０のｒで示す方向に送風される角度である。
【００９２】
ユーザが、変更ボタン４３を操作することにより、上述した開始角度の入力時と同様に、操作部３１ｂの表示部３３ｂに、ルーバ１７の設定角度を示す表示がされる。ここで、ステップＢ３及びステップＢ４で設定した全動作範囲の開始角度より小さい角度は、制御部３０によりルーバ１７の全動作範囲の終了角度として選択できないとする。全動作範囲の終了角度を入力した後、ユーザはルーバ確定ボタン２７を押下する。これにより、制御部３０によりルーバ１７の全動作範囲の終了角度が確定される（ステップＢ６）。確定されたルーバ１７の全動作範囲の終了角度は、制御部３０によりメモリ４４に記憶される。
【００９３】
ルーバ１７の全動作範囲の終了角度を確定した後、ユーザは、変更ボタン４３によりルーバ１７の低速動作範囲の開始角度を入力する（ステップＢ７）。ここで、ルーバ１７の低速動作範囲の開始角度は、図１１のｅで示す方向に送風される角度である。
【００９４】
ユーザが、変更ボタン４３を操作することにより、上述した全動作範囲の開始角度の入力時等と同様に、操作部３１ｂの表示部３３ｂに、ルーバ１７の設定角度を示す表示がされる。ここで、ステップＢ３及びステップＢ４で設定した全動作範囲の開始角度より小さい角度及び、ステップＢ５及びステップＢ６で設定した全動作範囲の終了角度より大きい角度は、制御部３０によりルーバ１７の低速動作範囲の開始角度として選択できないとする。低速動作範囲の開始角度を入力した後、ユーザはルーバ確定ボタン２７を押下する。これにより、制御部３０によりルーバ１７の低速動作範囲の開始角度が確定される（ステップＢ８）。確定されたルーバ１７の低速動作範囲の開始角度は、制御部３０によりメモリ４４に記憶される。
【００９５】
ルーバ１７の低速動作範囲の開始角度を確定した後、ユーザは、変更ボタン４３によりルーバ１７の低速動作範囲の終了角度を入力する（ステップＢ９）。ここで、ルーバ１７の低速動作範囲の終了角度は、図１１のｆで示す方向に送風される角度である。
【００９６】
ユーザが、変更ボタン４３を操作することにより、上述した全動作範囲の開始角度の入力時等と同様に、操作部３１ｂの表示部３３ｂに、ルーバ１７の設定角度を示す表示がされる。ここで、ステップＢ７及びステップＢ８で設定した低速動作範囲の開始角度より小さい角度及び、ステップＢ５及びステップＢ６で設定した全動作範囲の終了角度より大きい角度は、制御部３０によりルーバ１７の低速動作範囲の終了角度として選択できないとする。低速動作範囲の終了角度を入力した後、ユーザはルーバ確定ボタン２７を押下する。これにより、制御部３０によりルーバ１７の低速動作範囲の終了角度が確定される（ステップＢ１０）。確定されたルーバ１７の低速動作範囲の終了角度は、制御部３０によりメモリ４４に記憶される。
【００９７】
ルーバ１７の低速動作範囲の終了角度を確定した後、ユーザはルーバボタン２６を押下する（ステップＢ１１）。これにより、制御部３０により乾燥運転モード時のルーバ１７の動作角度の設定作業が終了する。このようなステップにより、第２の設定例においては、ルーバ１７のスイング（首振り）動作の角度が設定される。
【００９８】
図１６に示す、ルーバ１７がスイング（首振り）状に動作する際の角度の第２の設定例においては、ステップＢ３からステップＢ６において、ルーバ１７の全動作範囲を選択し確定するとした。しかし、ルーバ１７の全動作範囲を例えば０°〜１８０°とし、図１５のステップＡ３及びステップＡ４に示すルーバ１７の全動作範囲の選択を行わないとしてもよい。これにより、ルーバ１７の動作角度の設定において、ユーザはルーバ１７の低速動作範囲のみ設定すればよく、ルーバ１７の動作角度の設定を容易に行うことが可能となる。
【００９９】
図１５又は図１６を用いて説明した方法により設定されたルーバ１７の全動作範囲及び低速動作範囲は、乾燥運転動作モード時の設定情報としてメモリ４４に記憶される。この乾燥運転動作モード時の設定情報は、送風方向設定情報の一例である。この乾燥運転動作モード時の設定情報は、乾燥運転動作モード時に、制御部３０によりメモリ４４から読み出され、ルーバモータＡ１８ａ及びルーバモータＢ１８ｂの制御が行われる。
【０１００】
また、メモリ４４としては不揮発性のメモリが使用される。このため、動作モードの変更、浴室空調装置１の電源切断等を行った後も、再度ルーバ１７の全動作範囲及び低速動作範囲の設定作業を行う必要がない。
【０１０１】
以上のように制御部３０によりルーバ１７が制御され、浴室２４内へ吹出される空気の送風方向がスイング（首振り）状に変化することから、乾燥運転モード時は、ヒータ５により加熱された空気が洗濯物４１の広い範囲に当てられる。これにより、洗濯物４１全体を効率良く乾燥させることができる。
【０１０２】
また、ヒータ５により加熱された空気が浴室２４内の広い範囲に送風され、浴室２４内の空気が循環される。これにより、浴室２４内の壁面を乾燥させて洗濯物４１の温風が直接当たらない箇所の乾燥を促進することができ、洗濯物４１全体を更に効率良く乾燥させることが可能となる。
【０１０３】
また、ヒータ５により加熱された空気は、図１２で示す洗濯物４１以外の方向と比較して、図１１で示す洗濯物４１の方向に対して長い時間送風が行われる。これにより、洗濯物４１を更に効率良く乾燥させることができる。
【０１０４】
更に、浴室２４内の空気の一部は屋外に排気され、空気取入口２９ａから洗面所２３等の空気を取り込むことで、浴室２４内の換気が行われるので、湿気等を排出して、洗濯物の乾燥を促進することができる。
【０１０５】
また、図１０のＡで示す吹出口６ａより浴室２４内へ送風される全範囲、及び図１１のＢで示す吹出口６ａより浴室２４内へルーバ１７の低速動作により送風される範囲を変更可能であることにより、浴室２４における浴室空調装置１の設置位置、ランドリパイプ２８の位置等に合わせて、吹出口６ａからの送風方向の設定を行うことが可能となる。
【０１０６】
また、図９に示す第２の操作部３１ｂを備え、図１０から図１２の矢印Ａ、Ｂ及びＣで示す、ルーバ１７のスイング動作の角度を、図１５又は図１６に示す方法により設定する浴室空調機１は、当該浴室空調装置１の設置環境に合わせた送風方向の設定を容易に行うことが可能となる。
【０１０７】
更に、図１６に示す、ルーバ１７がスイング（首振り）状に動作する際の角度の第２の設定例においては、当該浴室空調装置１の設置環境に合わせた送風方向の設定を細かく行うことが可能となる。これにより、当該浴室空調装置１の設置環境により適した送風方向を設定し、被乾燥物としての洗濯物４１の乾燥をより効率よく行うことが可能となる。
【０１０８】
次に、複数のランドリパイプ２８が備えられた浴室２４に設置された浴室空調装置１の乾燥運転モードの動作例について説明する。図１７から図１９は、二つのランドリパイプ２８が備えられた浴室２４に設置された浴室空調装置１の乾燥運転モード時の送風方向を示す説明図である。図１７から図１９に示す浴室２４においては、二つのランドリパイプ２８ａ・２８ｂに被乾燥物である洗濯物４１ａ・４１ｂが掛けられた状態を示している。
【０１０９】
二つのランドリパイプ２８が備えられた浴室２４に設置された浴室空調装置１は、乾燥運転モードにおいて例えば次のように動作する。図５（ａ）から図５（ｃ）に示すように、制御部３０によりルーバ１７の羽根２１の角度が連続的または断続的に変化するように制御され、図１７の矢印Ｄで示す範囲で浴室２４内へ送風される空気の送風方向が、スイング（首振り）状に連続的または断続的に変化する。図１８は吹出口１２より洗濯物４１ａ・４１ｂの方向へ空気が送風される状態を示したものであり、図１９は吹出口１２より洗濯物４１ａ・４１ｂ以外の方向へ空気が送風される状態を示したものである。
【０１１０】
図１８の矢印Ｅ・Ｆで示す洗濯物４１ａ・４１ｂの方向への送風時は、図１９の矢印Ｇ・Ｈ・Ｉで示す洗濯物４１ａ・４１ｂの方向以外への送風時と比較して、送風方向の変化の速度が遅くなるように、即ち、ルーバ１７の羽根２１の角度の変化速度が遅くなるように制御部３０によりルーバ１７が制御される。
【０１１１】
浴室２４内へ送風される空気の送風方向が、連続的に、スイング（首振り）状に変化する際は、図１８の矢印Ｅ・Ｆで示す洗濯物４１ａ・４１ｂの方向への送風時は、図１９の矢印Ｇ・Ｈで示す洗濯物４１ａ・４１ｂの方向以外への送風時と比較して、ルーバ１７の羽根２１の角度の変化速度が遅くなるように制御部３０によりルーバ１７が制御される。
【０１１２】
また、浴室２４内へ送風される空気の送風方向が、段階的に、スイング（首振り）状に変化する際は、図１８の矢印Ｅ・Ｆで示す洗濯物４１ａ・４１ｂの方向への送風時は、図１９の矢印Ｇ・Ｈで示す洗濯物４１ａ・４１ｂの方向以外への送風時と比較して、段階毎のルーバ１７の羽根２１の停止時間が長くなるように制御部３０によりルーバ１７が制御される。
【０１１３】
以上のようにルーバ１７が制御部３０により制御されることにより、図１８の矢印Ｅ・Ｆで示す洗濯物４１ａ・４１ｂの方向への送風時は、図１９の矢印Ｇ・Ｈで示す洗濯物４１ａ・４１ｂの方向以外への送風時と比較して、送風方向の変化の速度が遅くなる。
【０１１４】
ここで、図８に示す第１の操作部３１ａにおいては、図１７、図１８の矢印Ｅ、Ｆ、Ｇ及びＨで示す、ルーバ１７がスイング（首振り）状に動作する際の角度は、例えば次のように設定される。使用者又は施工業者が、操作部３１のルーバ設定ボタン２５により、浴室２４内のランドリパイプ２８の位置を、基準位置として浴室空調装置１に設定する。設定された基準位置に対する角度に基づき、予め設定された所定角度分についてルーバ１７がスイング（首振り）状に動作する。
【０１１５】
また、図１７、図１８の矢印Ｅ、Ｆ、Ｇ及びＨで示す、ルーバ１７がスイング（首振り）状に動作する際の角度を、操作部３１のルーバ設定ボタン２５により、浴室空調装置１に直接設定し、設定された各角度に基づきルーバ１７がスイング（首振り）状に動作するとしても良い。
【０１１６】
次に、図９に示す第２の操作部３１ｂにおいて、図１７から図１９の矢印Ｅ、Ｆ、Ｇ及びＨで示す、ルーバ１７がスイング（首振り）状に動作する際の角度の第１の設定例について説明する。図２０は、乾燥運転モード時のルーバ動作角度の設定の第１のフローチャート例である。
【０１１７】
図９に示す第２の操作部３１ｂを備える浴室空調装置１の第１の設定例においては、次のようにルーバ１７のスイング（首振り）動作の角度が設定される。まず、ユーザは、操作部３１ｂの乾燥モードボタン３８を押下する（図２０のステップＣ１）。その後、ルーバボタン２６を押下する（ステップＣ２）。これにより操作部３１ｂは、制御部３０によりルーバ動作角度の設定モードとなる。
【０１１８】
その後、ユーザは、変更ボタン４３を操作してルーバ１７の全動作範囲（図１７の矢印Ｄで示す範囲）を選択する（ステップＣ３）。この時選択されるルーバ１７の全動作範囲は、例えば図１３に示す通りである。ここで、ルーバ１７の動作角度については、図１７の矢印ｇで示す方向に送風される角度を０°、矢印ｈで示す方向に送風される角度を１８０°とする。
【０１１９】
ユーザが、変更ボタン４３を操作することにより、操作部３１ｂの表示部３３ｂに、図１３に示す各動作範囲に対応した表示がされる。例えば、ユーザが変更ボタン４３の上ボタンを操作することにより、操作部３１ｂの表示部３３ｂの表示が、ＡＳ：０１、ＡＳ：０２、ＡＳ：０３・・・のように順番に変化する。また、ユーザが変更ボタンの下ボタンを操作することにより、操作部３１ｂの表示部の表示が、ＡＳ：１５、ＡＳ：１４、ＡＳ：１３・・・のように順番に変化する。
【０１２０】
図１３に示す各動作範囲及びこれに対応した表示は、メモリ４４に予め記憶されており、ユーザが変更ボタン４３を操作することにより、制御部３０によりメモリ４４から読み出され、表示部３３ｂに表示される。
【０１２１】
ユーザは、所望のルーバ１７の全動作範囲を表示部３３ｂに表示させた後、ルーバ確定ボタン２７を押下する。これにより、制御部３０によりルーバ１７の全動作範囲が確定させる（ステップＣ４）。確定されたルーバ１７の全動作範囲は、制御部３０によりメモリ４４に記憶される。
【０１２２】
その後、ユーザは、再度変更ボタン４３を操作して、ルーバ１７の低速動作範囲（図１７の矢印Ｅ・Ｆで示す範囲）を選択する（ステップＣ５）。この時選択されるルーバ１７の低速動作範囲は、例えば図１４に示す通りである。
【０１２３】
ユーザが、変更ボタン４３を操作することにより、操作部３１ｂの表示部３３ｂに、図１４に示す各動作範囲に対応した表示がされる。例えば、ユーザが変更ボタン４３の上ボタンを操作することにより、操作部３１ｂの表示部３３ｂの表示が、ＬＳ：０１、ＬＳ：０２、ＬＳ：０３・・・のように順番に変化する。また、ユーザが変更ボタンの下ボタンを操作することにより、操作部３１ｂの表示部の表示が、ＬＳ：０８、ＬＳ：０７、ＬＳ：０６・・・のように順番に変化する。ここで、ステップＣ３で設定したルーバ１７の全動作範囲を超える範囲は、制御部３０により、低速動作範囲として選択できないとする。
【０１２４】
図１４に示す各動作範囲及びこれに対応した表示は、メモリ４４に予め記憶されており、ユーザが変更ボタン４３を操作することにより、制御部３０によりメモリ４４から読み出され、表示部３３ｂに表示される。
【０１２５】
ユーザは、所望のルーバ１７の低速動作範囲を表示部３３ｂに表示させた後、ルーバ確定ボタン２７を押下する。これにより、制御部３０によりルーバ１７の低速動作範囲が確定させる（ステップＣ６）。確定されたルーバ１７の低速動作範囲は、制御部３０によりメモリ４４に記憶される。
【０１２６】
ここで、図１８に示すように、洗濯物４１が掛けられたランドリパイプ２８が複数ある場合は、ユーザはステップＣ５及びステップＣ６の作業を再度繰り返してルーバ１７の低速動作の範囲を追加する。追加されたルーバ１７の低速動作の範囲は制御部３０によりメモリ４４等に記憶される。洗濯物４１が掛けられた全てのランドリパイプ２８についてルーバ１７の低速動作の範囲を設定した後、ユーザはルーバボタン２６を押下す。これにより制御部３０は、ルーバ１７がスイング動作する際の角度の設定作業を終了する(ステップＣ７)。このようなステップにより、第１の設定例においては、ルーバ１７のスイング（首振り）動作の角度が設定される。
【０１２７】
図２０に示す、低速動作範囲が複数箇所ある際のルーバ１７のスイング動作の角度の第１の設定例においては、ステップＣ３及びステップＣ４において、ルーバ１７の全動作範囲を選択し確定するとした。しかし、ルーバ１７の全動作範囲を例えば０°〜１８０°とし、図２０のステップＣ３及びステップＣ４に示すルーバ１７の全動作範囲の選択を行わないとしてもよい。これにより、ルーバ１７の動作角度の設定において、ユーザ等はルーバ１７の低速動作範囲のみ設定すればよく、ルーバ１７の動作角度の設定を容易に行うことが可能となる。
【０１２８】
次に、図９に示す第２の操作部３１ｂにおいて、図１７から図１９の矢印Ｅ、Ｆ、Ｇ及びＨで示す、ルーバ１７がスイング（首振り）状に動作する際の角度の第２の設定例について説明する。図２０は、乾燥運転モード時のルーバ動作角度の設定の第２のフローチャート例である。図９に示す第２の操作部３１ｂを備える浴室空調装置１の第２の設定例においては、次のようにルーバ１７のスイング（首振り）動作の角度が設定される。まず、ユーザは、操作部３１ｂの乾燥モードボタン３８を押下する（図２１のステップＤ１）。その後、ルーバボタン２６を押下する（ステップＤ２）。これにより操作部３１ｂは、制御部３０によりルーバ動作角度の設定モードとなる。
【０１２９】
その後、ユーザは、変更ボタン４３を操作してルーバ１７の全動作範囲（図１０の矢印Ａで示す範囲）の開始角度を入力する（ステップＤ３）。ここで、ルーバ１７の全動作範囲の開始角度は、図１７のｉで示す方向に送風される角度である。
【０１３０】
ユーザが、変更ボタン４３を操作することにより、操作部３１ｂの表示部３３ｂに、ルーバ１７の設定角度を示す表示がされる。例えば、ユーザが変更ボタン４３の上ボタンを操作することにより、操作部３１ｂの表示部３３ｂの表示が、００：００（０°）、００：０１（１°）、・・・０１：０５（１０５°）・・・のように順番に変化する。また、ユーザが変更ボタンの下ボタンを操作することにより、操作部３１ｂの表示部の表示が、０１：８０（１８０°）、０１：７９（１７９°）、・・・０１：５０（１５０°）・・・のように順番に変化する。
【０１３１】
所望のルーバ１７の全動作範囲の開始角度を表示部３３ｂに表示させた後、ユーザはルーバ確定ボタン２７を押下する。これにより、制御部３０によりルーバ１７の全動作範囲の開始角度が確定される（ステップＤ４）。確定されたルーバ１７の全動作範囲の開始角度は、制御部３０によりメモリ４４に記憶される。
【０１３２】
ルーバ１７の全動作範囲の開始角度を確定した後、ユーザは、変更ボタン４３によりルーバ１７の全動作範囲の終了角度を入力する（ステップＤ５）。ここで、ルーバ１７の全動作範囲の終了角度は、図１７のｊで示す方向に送風される角度である。
【０１３３】
ユーザが、変更ボタン４３を操作することにより、上述した全動作範囲の開始角度の入力時と同様に、操作部３１ｂの表示部３３ｂに、ルーバ１７の設定角度を示す表示がされる。ここで、ステップＤ３及びステップＤ４で設定した全動作範囲の開始角度より小さい角度は、制御部３０によりルーバ１７の全動作範囲の終了角度として選択できないとする。全動作範囲の終了角度を入力した後、ユーザはルーバ確定ボタン２７を押下する。これにより、制御部３０によりルーバ１７の全動作範囲の終了角度が確定される（ステップＤ６）。確定されたルーバ１７の全動作範囲の終了角度は、制御部３０によりメモリ４４に記憶される。
【０１３４】
ルーバ１７の全動作範囲の終了角度を確定した後、ユーザは、変更ボタン４３によりルーバ１７の低速動作範囲の開始角度を入力する（ステップＤ７）。ここで、ルーバ１７の低速動作範囲の開始角度は、図１８のｋ又はｍで示す方向に送風される角度である。
【０１３５】
ユーザが、変更ボタン４３を操作することにより、上述した全動作範囲の開始角度の入力時等と同様に、操作部３１ｂの表示部３３ｂに、ルーバ１７の設定角度を示す表示がされる。ここで、ステップＤ３及びステップＤ４で設定した全動作範囲の開始角度より小さい角度及び、ステップＤ５及びステップＤ６で設定した全動作範囲の終了角度より大きい角度は、制御部３０によりルーバ１７の低速動作範囲の開始角度として選択できないとする。低速動作範囲の開始角度を入力した後、ユーザはルーバ確定ボタン２７を押下する。これにより、制御部３０によりルーバ１７の低速動作範囲の開始角度が確定される（ステップＤ８）。確定されたルーバ１７の低速動作範囲の開始角度は、制御部３０によりメモリ４４に記憶される。
【０１３６】
ルーバ１７の低速動作範囲の開始角度を確定した後、ユーザは、変更ボタン４３によりルーバ１７の低速動作範囲の終了角度を入力する（ステップＤ９）。ここで、ルーバ１７の低速動作範囲の終了角度は、図１８のｌ又はｍで示す方向に送風される角度である。
【０１３７】
ユーザが、変更ボタン４３を操作することにより、上述した全動作範囲の開始角度の入力時等と同様に、操作部３１ｂの表示部３３ｂに、ルーバ１７の設定角度を示す表示がされる。ここで、ステップＤ７及びステップＤ８で設定した低速動作範囲の開始角度より小さい角度及び、ステップＤ５及びステップＤ６で設定した全動作範囲の終了角度より大きい角度は、制御部３０によりルーバ１７の低速動作範囲の終了角度として選択できないとする。低速動作範囲の終了角度を入力した後、ユーザはルーバ確定ボタン２７を押下する。これにより、制御部３０によりルーバ１７の低速動作範囲の終了角度が確定される（ステップＤ１０）。確定されたルーバ１７の低速動作範囲の終了角度は、制御部３０によりメモリ４４に記憶される。
【０１３８】
ここで、図１８に示すように、洗濯物４１が掛けられたランドリパイプ２８が複数ある場合は、ユーザは、ステップＤ７からステップＤ１０の作業を再度繰り返してルーバ１７の低速動作の範囲を追加する。追加されたルーバ１７の低速動作の範囲は制御部３０によりメモリ４４等により記憶される。洗濯物４１が掛けられた全てのランドリパイプ２８についてルーバ１７の低速動作の範囲を設定した後、ユーザはルーバボタン２６を押下する。これにより制御部３０は、ルーバ１７がスイング動作する際の角度の設定作業を終了する（ステップＤ１１）。このようなステップにより、第２の設定例においては、ルーバ１７のスイング（首振り）動作の角度が設定される。
【０１３９】
図２１に示す、ルーバ１７がスイング（首振り）状に動作する際の角度の第２の設定例においては、ステップＢ３からステップＢ６において、ルーバ１７の全動作範囲を選択し確定するとした。しかし、ルーバ１７の全動作範囲を例えば０°〜１８０°とし、図２１のステップＤ３からステップＤ６に示すルーバ１７の全動作範囲の選択を行わないとしてもよい。これにより、ルーバ１７の動作角度の設定において、ユーザ等はルーバ１７の低速動作範囲のみ設定すればよく、ルーバ１７の動作角度の設定を容易に行うことが可能となる。
【０１４０】
図２０又は図２１を用いて説明した方法により設定されたルーバ１７の全動作範囲及び低速動作範囲は、乾燥運転動作モード時の設定情報としてメモリ４４に記憶される。この乾燥運転動作モード時の設定情報は、送風方向設定情報の一例である。この乾燥運転動作モード時の設定情報は、乾燥運転動作モード時に、制御部３０によりメモリ４４から読み出され、ルーバモータＡ１８ａ及びルーバモータＢ１８ｂの制御が行われる。
【０１４１】
また、メモリ４４としては不揮発性のメモリが使用される。このため、動作モードの変更、浴室空調装置１の電源切断等を行った後も、再度ルーバ１７の全動作範囲及び低速動作範囲の設定作業を行う必要がない。
【０１４２】
以上のように制御部３０によりルーバ１７が制御され、浴室２４内へ吹出される空気の送風方向がスイング（首振り）状に変化することから、乾燥運転モード時は、ヒータ５により加熱された空気が洗濯物４１の広い範囲に当てられる。これにより、洗濯物４１全体を効率良く乾燥させることができる。
【０１４３】
また、ヒータ５により加熱された空気が浴室２４内の広い範囲に送風され、浴室２４内の空気が循環される。これにより、浴室２４内の壁面を乾燥させて洗濯物４１の温風が直接当たらない箇所の乾燥を促進することができ、洗濯物４１全体を更に効率良く乾燥させることが可能となる。
【０１４４】
また、図１７のＤで示す吹出口６ａより浴室２４内へ送風される全範囲、及び図１８のＥ・Ｆで示す吹出口６ａより浴室２４内へルーバ１７の低速動作により送風される範囲を変更可能であることにより、浴室２４における浴室空調装置１の設置位置、ランドリパイプ２８の位置等に合わせて、吹出口６ａからの送風方向の設定を行うことが可能となる。
【０１４５】
また、図９に示す第２の操作部３１ｂを備え、図１７から図１９の矢印ＤからＨで示す、ルーバ１７のスイング動作の角度を、図２０又は図２１に示す方法により設定する浴室空調機１は、当該浴室空調装置１の設置環境に合わせた送風方向の設定を容易に行うことが可能となる。
【０１４６】
更に、図２１に示す、ルーバ１７がスイング（首振り）状に動作する際の角度の第２の設定例においては、当該浴室空調装置１の設置環境に合わせた送風方向の設定を細かく行うことが可能となる。これにより、当該浴室空調装置１の設置環境により適した送風方向を設定し、被乾燥物としての洗濯物４１の乾燥をより効率よく行うことが可能となる。
【０１４７】
また、上述したルーバ１７のスイング（首振り）状運転は、乾燥運転モードのみでなく、後述する予備暖房運転モード等のその他の運転モードで利用してもよい。
【０１４８】
＜暖房運転モードの動作例＞
次に、浴室空調装置１における暖房運転モードの動作例について説明する。浴室空調装置１における暖房運転モードには、予備暖房運転モードと入浴暖房運転モードがある。予備暖房運転モードは入浴前暖房運転モードの一例であり、入浴暖房運転モードは入浴中暖房運転モードの一例である。
【０１４９】
まず予備暖房運転モードの動作例について説明する。図２２は予備暖房運転モード時の送風例を示す説明図であり、図６で説明した浴室２４に浴室空調装置１が設置された状態を示している。
【０１５０】
図７で説明した制御部３０は、操作部３１の予備暖房モードボタン３４が押されると、予備暖房運転モードを実行する。予備暖房運転モードでは、図１に示すように、ダンパ１１の位置が浴室２４内の空気を循環させる循環位置となるように、制御部３０はダンパモータ３２を制御する。更に予備暖房運転モードでは、制御部３０はヒータ５をオンにする。また予備暖房運転モードにおいては、例えば上述した「強」の風量が得られるように制御部３０によりファンモータ８が制御される。
【０１５１】
ファンモータ８によりファン７が回転駆動されると、フロントパネル６の吸込口６ｂを介してファンユニット３の吸込口１０から浴室２４の空気が吸込まれる。ダンパ１１の位置が循環位置であると、ファンユニット３において吸込口１０から吹出口１２への循環風路１４が形成される。このため、吸込口１０から吸込まれた空気は、循環風路１４を通り吹出口１２からフロントパネル６の吹出口６ａを介して浴室２４内に吹出される。そして、ヒータ５がオンされてヒータ５が加熱されることで、循環風路１４を通る空気が温められて吹出口１２から温風が吹出す。
【０１５２】
予備暖房運転モードにおいては、ルーバ１７の羽根２１の角度は、図５（ｂ）に示すように、制御部３０により制御される。よって、予備暖房運転モードにおいては、図２２に示すように、ヒータ５により加熱された空気が浴室２４内の洗い場２４ｂの床の方向に吹出される。
【０１５３】
これにより予備暖房運転モードにおいては、浴室２４内の空気を循環させながら浴室２４内を暖房し、洗い場２４ｂの温度を上げることができる。
【０１５４】
次に、入浴暖房運転モードの動作例について説明する。図２３は入浴暖房運転モード時の送風例を示す説明図であり、図６で説明した浴室２４に浴室空調装置１が設置された状態を示している。
【０１５５】
図７で説明した制御部３０は、操作部３１の入浴暖房モードボタン３５が押されると、入浴暖房運転モードを実行する。入浴暖房運転モードでは、図１に示すように、ダンパ１１の位置が浴室２４内の空気を循環させる循環位置となるように、制御部３０はダンパモータ３２を制御する。更に入浴暖房運転モードでは、制御部３０はヒータ５をオンにする。また入浴暖房運転モードにおいては、例えば上述した「強」の風量が得られるように制御部３０によりファンモータ８が制御される。
【０１５６】
ファンモータ８によりファン７が回転駆動されると、フロントパネル６の吸込口６ｂを介してファンユニット３の吸込口１０から浴室２４の空気が吸込まれる。ダンパ１１の位置が循環位置であると、ファンユニット３において吸込口１０から吹出口１２への循環風路１４が形成される。このため、吸込口１０から吸込まれた空気は、循環風路１４を通り吹出口１２からフロントパネル６の吹出口６ａを介して浴室２４内に吹出される。そして、ヒータ５がオンされてヒータ５が加熱されることで、循環風路１４を通る空気が温められて吹出口１２から温風が吹出す。
【０１５７】
入浴暖房運転モードにおいては、ルーバ１７の羽根２１の角度は、図５（ｃ）に示すように、制御部３０により制御される。よって、入浴暖房運転モードにおいては、図１４に示すように、ヒータ５により加熱された空気が、浴室２４内の浴槽２４ａの方向に吹出される。
【０１５８】
これにより入浴暖房運転モードにおいては、浴室２４内の空気を循環させながら浴室２４内を暖房し、且つ、洗い場２４ｂにいる入浴者に風（温風）が当たらないようにして、寒さを感じることを防ぐことができる。
【０１５９】
次に、予備暖房運転モード又は入浴暖房運転モード時のルーバ１７の固定位置の設定例について説明する。図２４は、暖房運転モード時のルーバ１７の固定位置の設定例を示す説明図である。図２５は、暖房運転モード時のルーバ１７の固定位置設定のフローチャート例である。
【０１６０】
図９に示す第２の操作部３１ｂを備える浴室空調装置１においては、次のように、暖房運転モード時のルーバ１７の固定位置の角度が設定される。まず、ユーザは予備暖房運転モードボタン３４（又は、入浴暖房運転モードボタン３５）を押下する（図２５のステップＥ１）。その後、ルーバボタン２６を押下する（ステップＥ２）。これにより、制御部３０により操作部３１ｂはルーバ１７の固定位置角度の設定モードとなる。
【０１６１】
その後、ユーザは、変更ボタン４３を操作してルーバ１７の固定位置の角度を入力する（ステップＥ３）。この時選択されるルーバ１７の固定位置は、例えば図２４に示す通りである。ここで、ルーバ１７の固定位置については、図２２の矢印ｏで示す方向に送風される角度を０°、矢印ｐで示す方向に送風される角度を１８０°とする。
【０１６２】
ユーザが、変更ボタン４３を操作することにより、操作部３１ｂの表示部３３ｂに、図２４に示すルーバ１７の固定位置の角度を示す表示がされる。例えば、ユーザが変更ボタン４３の上ボタンを操作することにより、操作部３１ｂの表示部３３ｂの表示が、ＦＰ：０１、ＦＰ：０２、ＦＰ：０３・・・のように順番に変化する。また、ユーザが変更ボタンの下ボタンを操作することにより、操作部３１ｂの表示部の表示が、ＦＰ：１０、ＦＰ：０９、ＦＰ：０８・・・のように順番に変化する。
【０１６３】
所望のルーバ１７の固定位置の角度を表示部３３ｂに表示させた後、ユーザはルーバ確定ボタン２７を押下する。これにより、制御部３０によりルーバ１７の固定位置の角度が確定される（ステップＥ４）。確定されたルーバ１７の固定位置の角度は、制御部３０によりメモリ４４に記憶される。このようなステップにより、暖房運転モード時のルーバ１７の固定位置が設定される。
【０１６４】
上述した例においては、ステップＥ３にて、例えば図２４に示す角度をルーバ１７の固定位置として選択するとした。しかし、変更ボタン４３の上下ボタンを操作することにより、表示部３３ｂの表示が、例えば００：００（０°）、００：０１（１°）、・・・０１：０５（１０５°）・・・のように順番に変化し、所定の角度をルーバ１７の固定角度として選択するとしてもよい。
【０１６５】
また、図２４及び図２５に示す方法により設定した、暖房運転モード時のルーバ１７の固定位置は、例えば一時的に記憶されるものであり、他の動作モードへの変更、又は浴室空調装置１の電源ＯＦＦ等をした際には元の設定にリセットされる。
【０１６６】
図２４及び図２５に示す方法により暖房運転モード時のルーバ１７の固定位置を所望の角度に設定可能であることにより、予備暖房運転モード時又は入浴暖房運転モード時に、ユーザは必要に応じて浴室２４内の所定の位置の暖房を行うことが可能となる。
【０１６７】
＜他の暖房運転モードの動作例＞
次に、浴室空調装置１における他の暖房運転モードの動作例について説明する。図２６及び図２７は他の暖房運転モードの動作例についての説明図であり、図２８は他の暖房運転モード時のルーバ１７の動作例についての説明図であり、図１のａ−ａ断面を示している。
【０１６８】
前述したように浴室空調装置１における暖房運転モードには、予備暖房運転モードと入浴暖房運転モードがある。まず他の予備暖房運転モードの動作例について説明する。図２６は他の予備暖房運転モード時の送風例を示す説明図であり、図６で説明した浴室２４に浴室空調装置１が設置された状態を示している。
【０１６９】
前述したように、図７で説明した制御部３０は、操作部３１の予備暖房モードボタン３４が押されると、予備暖房運転モードを実行する。他の予備暖房運転モードにおいても、図１に示すように、ダンパ１１の位置が浴室２４内の空気を循環させる循環位置となるように、制御部３０はダンパモータ３２を制御し、更にヒータ５をオンにする。また他の予備暖房運転モードにおいても、例えば上述した「強」の風量が得られるように制御部３０によりファンモータ８が制御される。
【０１７０】
ファンモータ８によりファン７が回転駆動されると、フロントパネル６の吸込口６ｂを介してファンユニット３の吸込口１０から浴室２４の空気が吸込まれる。ダンパ１１の位置が循環位置であると、ファンユニット３において吸込口１０から吹出口１２への循環風路１４が形成される。このため、吸込口１０から吸込まれた空気は、循環風路１４を通り吹出口１２からフロントパネル６の吹出口６ａを介して浴室２４内に吹出される。そして、ヒータ５がオンされてヒータ５が加熱されることで、循環風路１４を通る空気が温められて吹出口１２から温風が吹出す。
【０１７１】
他の予備暖房運転モードにおいては、ルーバ１７の羽根２１の角度は、図２８（ａ）に示すように、制御部３０により制御される。よって、他の予備暖房運転モードにおいては、図２６に示すように、ヒータ５により加熱された空気が浴室２４内の洗い場２４ｂの床等の特定箇所に集中して吹出される。
【０１７２】
これにより他の予備暖房運転モードにおいては、浴室２４内の空気を循環させながら浴室２４内を暖房し、床等の温度を短時間で上げることができ
次に、他の入浴暖房運転モードの動作例について説明する。図２７は入浴暖房運転モード時の送風例を示す説明図であり、図６で説明した浴室２４に浴室空調装置１が設置された状態を示している。
【０１７３】
前述したように、図７で説明した制御部３０は、操作部３１の入浴暖房モードボタン３５が押されると、入浴暖房運転モードを実行する。他の入浴暖房運転モードにおいても、図１に示すように、ダンパ１１の位置が浴室２４内の空気を循環させる循環位置となるように、制御部３０はダンパモータ３２を制御し、更にヒータ５をオンにする。また他の入浴暖房運転モードにおいては、上述した「弱」の風量が得られるように制御部３０によりファンモータ８が制御される。
【０１７４】
ファンモータ８によりファン７が回転駆動されると、フロントパネル６の吸込口６ｂを介してファンユニット３の吸込口１０から浴室２４の空気が吸込まれる。ダンパ１１の位置が循環位置であると、ファンユニット３において吸込口１０から吹出口１２への循環風路１４が形成される。このため、吸込口１０から吸込まれた空気は、循環風路１４を通り吹出口１２からフロントパネル６の吹出口６ａを介して浴室２４内に吹出される。そして、ヒータ５がオンされてヒータ５が加熱されることで、循環風路１４を通る空気が温められて吹出口１２から温風が吹出す。
【０１７５】
他の入浴暖房運転モードにおいては、ルーバ１７の羽根２１の角度は、図２８（ｂ）に示すように、制御部３０により制御される。よって、他の入浴暖房運転モードにおいては、図２７に示すように、ヒータ５により加熱された空気が、鉛直方向から大きく角度を持った方向に対して二方向に吹出される。
【０１７６】
これにより他の入浴暖房運転モードにおいては、浴室２４内の空気を循環させながら浴室２４内を暖房し、且つ、入浴者に風（温風）が当たって寒さを感じることを抑えることができる。
【０１７７】
ここで、図２６から図２８に示す、他の予備暖房運転モード及び他の入浴暖房運転モードの例においても、図２４及び図２５に示す方法によりルーバ１７の固定位置の設定を行うことが可能である。
【０１７８】
＜涼風運転モードの動作例＞
次に、浴室空調装置１における涼風運転モードの動作例について説明する。図７で説明した制御部３０は、操作部３１の涼風モードボタン３６が押されると、涼風運転モードを実行する。涼風運転モードでは、図４に示すように、ダンパ１１の位置が浴室２４内の空気を循環させながら換気を行う循環換気位置となるように、制御部３０はダンパモータ３２を制御する。また涼風運転モードにおいては、例えば上述した「強」の風量が得られるように制御部３０によりファンモータ８が制御される。
【０１７９】
ファンモータ８によりファン７が回転駆動されると、フロントパネル６の吸込口６ｂを介してファンユニット３の吸込口１０から浴室２４の空気が吸込まれる。ダンパ１１の位置が循環換気位置であると、ファンユニット３において吸込口１０から吹出口１２への循環風路１４と、吸込口１０から排気口１３への換気風路１５の双方が形成される。このため、吸込口１０から吸込まれた空気の一部は、換気風路１５及び排気口１３を通り、更に、図６に示す排気ダクト２６を通って排気グリル２７から屋外へ排気される。
【０１８０】
また、浴室２４内の空気を屋外に排気することで、浴室ドア２９に設けた空気取入口２９ａから、洗面所２３等の空気が吸込まれる。
【０１８１】
また、吸込口１０から吸込まれた空気の一部は、循環風路１４を通り吹出口１２からフロントパネル６の吹出口６ａを介して浴室２４内に吹出される。この時ルーバ１７の羽根２１の角度は、例えば図５（ａ）に示すように、制御部３０により制御される。また図５（ａ）から図５（ｃ）に示すように、制御部３０によりルーバ１７の羽根２１の角度が連続的に変化するように制御され、浴室２４内へ送風される空気の送風方向が連続的に変化するとしても良い。
【０１８２】
これにより、涼風運転モードを実行することで、浴室２４内の空気を循環及び換気させながら、浴室２４内の温度に応じた涼風が吹き出され、浴室空調装置１を夏場等に扇風機として使用することができる。
【０１８３】
なお、涼風運転モードのダンパ１１の位置は、図１に示す循環位置としても良い。
【０１８４】
＜換気運転モードの動作例＞
次に、浴室空調装置１における換気運転モードの動作例について説明する。図７で説明した制御部３０は、操作部３１の換気モードボタン３７が押されると、換気運転モードを実行する。換気運転モードでは、制御部３０は、ダンパ１１の位置が図３に示す換気位置となるように、ダンパモータ３２を制御すると共に、ファンユニット３の風量が例えば上述した「強」となるようにファンモータ８を制御する。
【０１８５】
ファンモータ８によりファン７が回転駆動されると、フロントパネル６の吸込口６ｂを介してファンユニット３の吸込口１０から浴室２４の空気が吸込まれる。ダンパ１１の位置が換気位置であると、ファンユニット３において吸込口１０から排気口１３への換気風路１５が形成されるので、吸込口１０から吸込まれた空気は、換気風路１５及び排気口１３を通り、更に、図６に示す排気ダクト２６を通って排気グリル２７から屋外へ排気される。
【０１８６】
また、浴室２４内の空気を屋外に排気することで、浴室ドア２９に設けた空気取入口２９ａから、洗面所２３等の空気が吸込まれる。
【０１８７】
これにより、換気運転モードを実行することで、浴室２４内の湯気や湿気を排出して結露等を抑制し、カビの発生を抑えることができる。
【０１８８】
図１等で示した浴室空調装置１は、ダンパ１１により循環風路１４及び換気風路１５を切換える構成とした。しかし、循環用及び換気用にそれぞれ別々のファンを有した構成としても良い。
【０１８９】
また図１等で示した浴室空調装置１は、加熱手段として電気式のヒータ５を備える構成としたが、温水による熱交換器を加熱手段として用いても良い。また、ルーバ１７のスイング（首振り）状の動作による送風方向の変化は、連続的な変化だけでなく、前述したように、断続的な変化であっても良い。
【０１９０】
更に、上述した例においては、本発明の空調装置の例として浴室に設置される浴室空調装置を示した。しかし、本発明の空調装置は、例えば洗面室に設置される洗面室空調装置等にも適用することが可能である。
【産業上の利用可能性】
【０１９１】
本発明は、浴室等の室内の被乾燥物の乾燥を行う空調装置に適用される。
【図面の簡単な説明】
【０１９２】
【図１】本実施の形態の浴室空調装置を示す説明図である。
【図２】本実施の形態の浴室空調装置の分解斜視図である。
【図３】本実施の形態の浴室空調装置を示す説明図である。
【図４】本実施の形態の浴室空調装置を示す説明図である。
【図５】本実施の形態の浴室空調装置のルーバの構成及び動作例を示す説明図である。
【図６】本実施の形態の浴室空調装置の設置例を示す説明図である。
【図７】本実施の形態の浴室空調装置の制御機能例を示す説明図である。
【図８】本実施の形態の浴室空調装置の操作部の第１の例を示す説明図である。
【図９】本実施の形態の浴室空調装置の操作部の第２の例を示す説明図である。
【図１０】乾燥運転モードの動作例を示す説明図である。
【図１１】乾燥運転モードの動作例を示す説明図である。
【図１２】乾燥運転モードの動作例を示す説明図である。
【図１３】乾燥運転モード時のルーバの全動作範囲の設定例である。
【図１４】乾燥運転モード時のルーバの低速動作範囲の設定例である。
【図１５】乾燥運転モード時ルーバ動作設定の第１のフローチャート例である。
【図１６】乾燥運転モード時ルーバ動作設定の第２のフローチャート例である。
【図１７】乾燥運転モードの動作例を示す説明図である。
【図１８】乾燥運転モードの動作例を示す説明図である。
【図１９】乾燥運転モードの動作例を示す説明図である。
【図２０】乾燥運転モード時ルーバ動作設定の第１のフローチャート例である。
【図２１】乾燥運転モード時ルーバ動作設定の第２のフローチャート例である。
【図２２】予備暖房運転モードの動作例を示す説明図である。
【図２３】入浴暖房運転モードの動作例を示す説明図である。
【図２４】暖房運転モード時のルーバ固定位置設定例である。
【図２５】暖房運転モード時のルーバ固定位置設定のフローチャート例である。
【図２６】他の予備暖房運転モードの動作例を示す説明図である。
【図２７】他の入浴暖房運転モードの動作例を示す説明図である。
【図２８】他の暖房運転モード時のルーバの動作例を示す説明図である。
【符号の説明】
【０１９３】
１・・・浴室空調装置、２・・・本体ケース、３・・・ファンユニット、４・・・風路切換部、５・・・ヒータ、６・・・フロントパネル、６ａ・・・吐出口、６ｂ・・・吸込口、７・・・ファン、８・・・ファンモータ、９・・・ファンケース、１０・・・吸込口、１１・・・ダンパ１１ａ・・・カム、１１ｂ・・・軸、１２・・・吹出口、１３・・・排気口、１４・・・循環風路、１５・・・換気風路、１６・・・フィルタ、１７・・・ルーバ、１８・・・ルーバモータ、１８ａ・・・ルーバモータＡ、１８ｂ・・・ルーバモータＢ、１９・・・アームＡ、２０・・・アームＢ、２１・・・羽根、２２・・・羽根軸、２３・・・洗面所、２４・・・浴室、２４ａ・・・浴槽、２４ｂ・・・洗い場、２５・・・ルーバ設定ボタン、２６・・・ルーバボタン、２７・・・ルーバ確定ボタン、２８・・・ランドリパイプ、２９・・・浴室ドア、２９ａ・・・空気取入口、３０・・・制御部、３１・・・操作部、３２・・・ダンパモータ、３３、３３ａ、３３ｂ・・・表示部、３４・・・予備暖房モードボタン、３５・・・入浴暖房モードボタン、３６・・・涼風モードボタン、３７・・・換気モードボタン、３８・・・乾燥モードボタン、３９・・・ランプ、４０・・・タイマボタン、４１・・・洗濯物、４２・・・吹出風、４４・・・メモリ
【図１】
2007271191.tif 000003
【図２】
2007271191.tif 000004
【図３】
2007271191.tif 000005
【図４】
2007271191.tif 000006
【図５】
2007271191.tif 000007
【図６】
2007271191.tif 000008
【図７】
2007271191.tif 000009
【図８】
2007271191.tif 000010
【図９】
2007271191.tif 000011
【図１０】
2007271191.tif 000012
【図１１】
2007271191.tif 000013
【図１２】
2007271191.tif 000014
【図１３】
2007271191.tif 000015
【図１４】
2007271191.tif 000016
【図１５】
2007271191.tif 000017
【図１６】
2007271191.tif 000018
【図１７】
2007271191.tif 000019
【図１８】
2007271191.tif 000020
【図１９】
2007271191.tif 000021
【図２０】
2007271191.tif 000022
【図２１】
2007271191.tif 000023
【図２２】
2007271191.tif 000024
【図２３】
2007271191.tif 000025
【図２４】
2007271191.tif 000026
【図２５】
2007271191.tif 000027
【図２６】
2007271191.tif 000028
【図２７】
2007271191.tif 000029
【図２８】
2007271191.tif 000030